(57)【要約】【課題】  簡単な構成で偏波面を変更することができる。【解決手段】  ホーンアンテナ本体２を、それの仰角及び方位角を調整する仰角調整具１６及び方位角調整具２４に取り付けたホーンアンテナ装置において、ホーンアンテナ本体２の長さ方向の中心軸を通る第１の面におけるホーンアンテナ本体２の外面に、互いに対向して１対の第１の取付部１２ａ、１２ｂが仰角調整具１６に取り付け可能に設けられ、  ホーンアンテナ本体２の中心軸を通り、第１の面に直交する第２の面におけるホーンアンテナ本体２の外面に、互いに対向して１対の第２の取付部１２ｃ、１２ｄが仰角調整具１６に取り付け可能に設けられている。【選択図】        図１
2011087184.tif 000002
【特許請求の範囲】
【請求項１】
ホーンアンテナ本体を、それの仰角及び方位角調整具に取り付けたホーンアンテナ装置において、
第１の偏波の電波が伝搬する第１の面における前記ホーンアンテナ本体の外面に、前記ホーンアンテナ本体の長さ方向の中心軸を挟んで互いに対向して位置し、前記調整具に取り付け可能な１対の第１の取付部と、
第２の偏波の電波が伝搬し第１の面に直交する第２の面における前記ホーンアンテナ本体の外面に、前記ホーンアンテナ本体の前記中心軸を挟んで互いに対向して位置し、前記調整具に取り付け可能な１対の第２の取付部とを、
具備し、前記中心軸の回りに前記ホーンアンテナ本体を９０度回転させたとき、第１の取付部が位置した位置に第２の取付部が位置し、第２の取付部が位置した位置に第１の取付部が位置するように、第１及び第２の取付部を前記ホーンアンテナ本体の外面に設けたホーンアンテナ装置。
【請求項２】
請求項１記載のホーンアンテナ装置において、第１及び第２の取付部は、前記アンテナ本体を９０度回転させた状態でも、非回転の状態でも、前記調整具の１対の面側に位置するものが、前記１対の取付部に接触しているホーンアンテナ装置。
【請求項３】
請求項２記載のホーンアンテナ装置において、前記１対の第１の取付部と前記１対の第２の取付部とは、それぞれが長尺状に形成されているホーンアンテナ装置。
【請求項４】
請求項２記載のホーンアンテナ装置において、前記第１及び第２の取付部は、それぞれ前記ホーンアンテナの長さ方向に間隔をおいて配置され、外方に向かって突出した突出部からなるホーンアンテナ装置。
【発明の詳細な説明】
【技術分野】
【０００１】
本発明は、ホーンアンテナ装置に関し、特に、その偏波面を変更することができるものに関する。
【背景技術】
【０００２】
従来、偏波面を変更することができるアンテナとしては、例えば特許文献１に開示されているようなものがある。特許文献１の技術によれば、ＣＳ放送を受信するためのコンバータの外箱に、フィードホーンがそれの導波管の中心を軸に回転するように嵌合され、フィードホーンの外周部と、ＣＳコンバータの外箱のフィードホーンの嵌合部の周囲に回転角度を示す目盛りが刻まれている。
【先行技術文献】
【特許文献】
【０００３】
【特許文献１】特開平８−６５００２号公報
【発明の概要】
【発明が解決しようとする課題】
【０００４】
この技術では、フィードホーンを回転させるために、ＣＳコンバータの外箱内にフィードホーンを嵌合しなければならず、ＣＳコンバータの外箱の構成が複雑になる上に、ＣＳコンバータ及びフィードホーンの組立が面倒になる。また、ＣＳコンバータの外箱とフィードホーンとに目盛りを設けなければならず、さらに構成が複雑になっている。
【０００５】
本発明は、簡単な構成で偏波面を変更することができるホーンアンテナ装置を提供することを目的とする。
【課題を解決するための手段】
【０００６】
本発明の一態様のホーンアンテナ装置は、ホーンアンテナ本体を、それの仰角及び方位角調整具に取り付けたものである。ホーンアンテナ本体は、例えば導波管を備えたもので、例えばミリ波の電波を送受信することができる。ホーンアンテナ本体の後端部に、例えばミリ波の送信または受信手段が取り付けられる。第１の偏波の電波が伝搬する第１の面における前記ホーンアンテナ本体の外面に、前記ホーンアンテナ本体の長さ方向の中心軸を挟んで互いに対向して１対の第１の取付部が位置する。１対の第１の取付部は、前記調整具に取り付け可能である。第２の偏波の電波が伝搬し第１の面に直交する第２の面における前記ホーンアンテナ本体の外面に、前記ホーンアンテナ本体の前記中心軸を挟んで互いに対向して１対の第２の取付部が位置する。１対の第２の取付部は、前記調整具に取り付け可能である。前記中心軸の回りに前記ホーンアンテナ本体を９０度回転させたとき、第１の取付部が位置した位置に第２の取付部が位置し、第２の取付部が位置した位置に第１の取付部が位置するように、第１及び第２の取付部を前記ホーンアンテナ本体の外面に設けてある。
【０００７】
このように構成されたホーンアンテナ装置では、第１の取付部を使用して調整具にホーンアンテナ本体を取り付けるか、第２の取付部を使用して調整具にホーンアンテナ本体を取り付けるかによって、ホーンアンテナ装置の偏波面を変更することができる。例えば、ミリ波の送受信を行っている場合に、第１の取付部を使用した場合に送信または受信できる偏波面での送受信が、反射波の影響や近辺で使用されている他のミリ波の影響で良好に行えないような場合に、第２の取付部を使用した場合に送信または受信できる偏波面を使用すれば良好に送受信することができることがある。ホーンアンテナ本体部は、第１または第２の取付部を介して調整具に取り付けられるので、調整具にホーンアンテナ本体が嵌合されるように調整具を構成する必要が無く、単に第１または第２の取付部が取り付けられる部分を調整具が備えていればよく、調整具の構成が簡単になる。しかも、第１及び第２の取付部のいずれを使用して取り付けるかを選択すれば偏波面を変更できるので、目盛りを調整具やホーンアンテナ本体に設ける必要が無く、更に構成を簡略化することができる。
【０００８】
第１及び第２の取付部は、前記アンテナ本体を９０度回転させた状態でも、非回転の状態でも、前記調整具の１対の面側に位置するものが、前記１対の取付部に接触している。このように構成することによって、調整具側は、第１及び第２の取付部を固定するための１つの構成を備えていればよく、調整具の構成を簡略化することができる。
【０００９】
更に、前記１対の第１の取付部と前記１対の第２の取付部とは、それぞれが長尺状に形成することができる。このように構成すると、第１及び第２の取付部の突出端面の長さが長くなり、突出端面の調整具への接触面積が増加し、充分な強度を持ってホーンアンテナ本体を調整具に取り付けることができる。
【００１０】
第１及び第２の取付部を、それぞれ前記ホーンアンテナの長さ方向に間隔をおいて配置することもできる。この場合、第１及び第２の取付部は外方に向かって突出した突出部からなる。このように構成すると、第１及び第２の取付部の材料が少なくすみ、コストの低減を図ることができる。
【発明の効果】
【００１１】
以上のように、本発明によれば、簡単な構成で偏波面を変更することができ、反射波の影響や環境の影響で良好に電波を送受信できないときに、容易に偏波面を変更することによって、良好に電波を送受信することができるようにすることができる。
【図面の簡単な説明】
【００１２】
【図１】本発明の第１実施形態のホーンアンテナ装置の組み立て図である。
【図２】図１のホーンアンテナ装置の縦断面図である。
【図３】図１のホーンアンテナ装置に使用されているホーンアンテナ本体の正面側から見た斜視図である。
【図４】図１のホーンアンテナ装置に使用されているホーンアンテナ本体の背面側から見た斜視図である。
【図５】図１のホーンアンテナ装置において水平偏波の電波を送受信する状態の斜視図である。
【図６】図１のホーンアンテナ装置において垂直偏波の電波を送受信する状態の斜視図である。
【図７】本発明の第２の実施形態のホーンアンテナ装置に使用されているホーンアンテナ本体の正面側から見た斜視図である。
【図８】本発明の第３の実施形態のホーンアンテナ装置に使用されているホーンアンテナ本体の正面側から見た斜視図である。
【発明を実施するための形態】
【００１３】
本発明の第１実施形態のホーンアンテナ装置は、図１に示すようにホーンアンテナ本体２を有している。ホーンアンテナ本体２は、内部が中空の例えば四角錐型に形成され、前端部側から後端部に向かうに従って幅寸法及び高さ寸法が徐々に短くなっている。即ち、ホーンアンテナ本体２の前端部に開口３を有し、この開口３は、対向して配置されている１対の短辺を有している。これら１対の短辺と直交し、互いに対向している１対の長辺も、開口３は有している。この１対の短辺からそれぞれ後端部側に向かって図２に示すように短辺側の壁２ａ、２ｂが開口３の中心を通る中心軸側に寄った状態に傾斜して形成されている。同様に、開口３の１対の長辺からそれぞれ後端部側に向かって長辺側の壁２ｃ、２ｄが図３及び図４に示すように開口３の中心を通る中心軸側に寄った状態に傾斜して形成されている。
【００１４】
ホーンアンテナ本体２の後端部には、短辺側の壁２ａ、２ｂ及び長辺側の壁２ｃ、２ｄに連なって直線状部４が形成されている。図２に示すように、直線状部４内においてもホーンアンテナ本体２の内部は後方に向かうに従ってその中心側に向かって傾斜している。この直線状部４と一体にフランジ６が形成され、このフランジ６を介してアダプタ８がホーンアンテナ本体２の後端部に取り付けられている。アダプタ８は、ホーンアンテナ本体２が取り付けられる面と反対側の面１３に、図示していない送信機または受信機をホーンアンテナ本体２に結合する。アダプタ８の中央にはホーンアンテナ本体２の内部の最終形状と同一形状の導波管１０が形成されている。これがホーンアンテナ本体２内に連通しており、送信機からの信号、例えばミリ波信号を導波管１０を介してホーンアンテナ本体２内に伝送する。或いはホーンアンテナ本体２内を伝搬された信号、例えばミリ波信号を導波管１０を介して受信機に伝送する。なお、開口３には、電波を透過させる誘電体材料からなる矩形のカバー１１が取り付けられている。例えば、受信機は、例えば６０ＧＨｚ帯のミリ波信号をテレビジョン受信機で処理可能な周波数帯に、送信機は、伝送信号を、例えば６０ＧＨｚ帯のミリ波信号の周波数帯に、それぞれ周波数変換する周波数変換手段、例えばコンバータである。
【００１５】
短辺側の壁２ａ、２ｂの外面には、１対の第１の取付部１２ａ、１２ｂが一体に形成されている。第１の取付部１２ａ、１２ｂは、第１の面、例えばホーンアンテナ本体２の中心軸を通り開口３の１対の短辺に対してそれぞれ直交する面内に、中心軸を挟んで互いに対応して位置し、例えば中心軸の長さ方向に沿って平行に、かつ所定の長さに形成されている。第１の取付部１２ａ、１２ｂのアンテナ本体２から最も離れた面、即ち突出面は、図２に示すように、ほぼ水平に位置し、その両端に、取り付け手段、例えば取り付け用のネジ孔１４ａ、１４ａ、１４ｂ、１４ｂが形成されている。第１の取付部１２ａ、１２ｂは同一の形状である。
【００１６】
長辺側の壁２ｃ、２ｄの外面には、１対の第２の取付部１２ｃ、１２ｄが一体に形成されている。第２の取付部１２ｃ、１２ｄは、第２の面、例えばホーンアンテナ本体２の中心軸を通り開口３の１対の長辺に対してそれぞれ直交する面、即ち、上記第１の面と直交する面内に、中心軸を挟んで互いに対応して位置し、例えば中心軸の長さ方向に沿って平行に、かつ所定の長さに形成されている。第２の取付部１２ｃ、１２ｄのアンテナ本体２から最も離れた面、即ち突出面は、図３及び図４に示すように、ほぼ垂直に位置し、その両端に、取り付け手段、例えば取り付け用の孔１４ｃ、１４ｃ、１４ｄ、１４ｄが形成されている。第２の取付部１２ｃ、１２ｄは、同一の形状である。
【００１７】
第１の取付部を例えば図３に示すような状態において、ホーンアンテナ本体２を、その中心軸の回りに９０度回転させると、回転前に第１の取付部１２ａ、１２ｂが位置していた位置に、第２の取付部１２ｃ、１２ｄが位置し、取り付け用のねじ孔１４ａ、１４ａ、１４ｂ、１４ｂの回転前の位置に、取り付け用のねじ孔１４ｃ、１４ｃ、１４ｄ、１４ｄが位置する。回転前に第２の取付部１２ｃ、１２ｄが位置していた位置に、第１の取付部１２ａ、１２ｂが位置し、取り付け用のねじ孔１４ｃ、１４ｃ、１４ｄ、１４ｄの回転前の位置に、取り付け用のねじ孔１４ａ、１４ａ、１４ｂ、１４ｂが位置する。
【００１８】
図２に示すように、ホーンアンテナ本体２は、仰角及び方位角調整具のうち仰角調整具１６に取り付けられている。図１に示すように仰角調整具１６は、上壁１６ａを有している。上壁１６ａは、ほぼ矩形に形成されている。この上壁１６ａの両側から下方に向かってそれぞれ側壁１６ｂ、１６ｃが伸びている。これら側壁１６ｂ、１６ｃの上壁１６ａに近い位置の前後方向にそれぞれ２つの貫通孔１８ａ、１８ａ、１８ｂ、１８ｂが形成されている。貫通孔１８ａ、１８ａ間の距離、１８ｂ、１８ｂ間の距離は、第１及び第２の取付部１２ａ、１２ｂ、１２ｃ、１２ｄに形成されているねじ孔１４ａ、１４ａ間の距離、１４ｂ、１４ｂ間の距離、１４ｃ、１４ｃ間の距離、１４ｄ、１４ｄ間の距離に等しい。これら貫通孔１８ａ、１８ａ、１８ｂ、１８ｂに挿通されたボルト２０ａ、２０ａ、２０ｂ、２０ｂを、第１の取付部１２ａ、１２ｂのねじ孔１４ａ、１４ａ、１４ｂ、１４ｂに螺合させるか、第２の取付部１２ｃ、１２ｄのねじ孔１４ｃ、１４ｃ、１４ｄ、１４ｄに螺合させることによって、仰角調整具１６にホーンアンテナ本体２を取り付けることができる。
【００１９】
但し、これら貫通孔１８ａ、１８ａ、１８ｂ、１８ｂに挿通されたボルト２０ａ、２０ａ、２０ｂ、２０ｂを、第１の取付部１２ａ、１２ｂのねじ孔１４ａ、１４ａ、１４ｂ、１４ｂに螺合させるとき、第１の取付部１２ａ、１２ｂのねじ孔１４ａ、１４ａ、１４ｂ、１４ｂが形成されている突出面が、側壁１６ｂ、１６ｃの内面に接触するように、第１の取付部１２ａ、１２ｂの突出量が決定されている。同様に、第２の取付部１２ｃ、１２ｄのねじ孔１４ｃ、１４ｃ、１４ｄ、１４ｄにボルト２０ａ、２０ａ、２０ｂ、２０ｂを螺合させるとき、第１の取付部１２ａ、１２ｂのねじ孔１４ａ、１４ａ、１４ｃ、１４ｃが形成されている突出面は、側壁１６ｂ、１６ｃの内面に接触するように、第２の取付部１２ｃ、１２ｄの突出量が決定されている。
【００２０】
側壁１６ｂ、１６ｃの長手方向の中途の前後方向の中央には、回転中心となる貫通孔２１ａ、２１ｂが形成され、側壁１６ｂ、１６ｃの下端、即ち上壁１６ａから最も離れた端部側には、前後方向に円弧状の長孔２２ａ、２２ｂが形成されている。これら側壁１６ｂ、１６ｃの内面に、方位角調整具２４の側壁２４ａ、２４ｂが位置している。これら側壁２４ａ、２４ｂのホーンアンテナ本体２の前側にある端部の上方側、即ち仰角調整具１６の上壁１６ａに近い位置にねじ孔２６ａ、２６ｂが形成されている。また、側壁２４ａ、２４ｂのホーンアンテナ本体２の前側にある端部の下方側、即ち仰角調整具１６の上壁１６ａから遠い側にねじ孔２８ａ、２８ｂが形成されている。
【００２１】
ねじ孔２６ａ、２６ｂには、仰角調整具１６の側壁１６ｂ、１６ｃの貫通孔２１ａ、２１ｂに挿通されたボルト３０ａ、３０ｂが螺合され、ねじ孔２８ａ、２８ｂには、仰角調整具１６の側壁１６ｂ、１６ｃの長孔２２ａ、２２ｂに挿通されたボルト３２ａ、３２ｂが螺合される。従って、ボルト３０ａ、３０ｂを回転中心として長孔２２ａ、２２ｂに沿ってボルト３２ａ、３２ｂが摺動することによって、ホーンアンテナ本体２が取り付けられている仰角調整具１６の仰角が調整される。
【００２２】
方位角調整具２４の側壁２４ａ、２４ｂにおけるねじ孔２６ａ、２６ｂ、２８ａ、２８ｂが形成されている端部と反対側の端部間は、これらと一体に形成された連結板２６ｃによって結合されている。連結板２６ｃの中央は、方位角調整具２４が取り付けられる支柱３４に対応して、ねじ孔２６ａ、２６ｂ、２８ａ、２８ｂ側にくぼんでいる。支柱３４を挟んで連結板２６ｃと対向するように挟持体３６が配置されている。挟持体３６には、２つの貫通孔３８、３８が支柱３４を挟んで形成され、これに挿通されたボルト４０、４０が連結板２６ｃに支柱３４を挟んで形成された貫通孔４２に挿通され、図示していないナットと螺合している。従って、支柱３４を連結板２６ｃと挟持体３６とが緩く挟持している状態で、方位角調整具２４と挟持体３６とを支柱３４の回りに回転させることによって、方位角調整具２４の方位角を任意に調整することができる。
【００２３】
例えば、図５に示すように、ホーンアンテナ本体２の第２の取付部１２ｃ、１２ｄのねじ孔１４ｃ、１４ｃ、１４ｄ、１４ｄを仰角調整具１６の側壁１６ｂ、１６ｃの貫通孔１８ａ、１８ａ、１８ｂ、１８ｂに一致させて、これら貫通孔１８ａ、１８ａ、１８ｂ、１８ｂに挿通したボルト２０ａ、２０ａ、２０ｂ、２０ｂをねじ孔１４ｃ、１４ｃ、１４ｄ、１４ｄに螺合させることによって、ホーンアンテナ本体２を仰角調整具１６に取り付けた状態で、例えば水平偏波を送信または受信しているとする。この水平偏波用とした２台のホーンアンテナ装置の一方にミリ波の送信機を取り付け、他方にミリ波の受信機を取り付けて、ミリ波の送信及び受信を行うと、反射波等の影響を受けて、良好にミリ波の送受信が行えないとする。
【００２４】
このような場合、２台のホーンアンテナ装置それぞれにおいて、第２の取付部１２ｃ、１２ｄのねじ孔１４ｃ、１４ｃ、１４ｄ、１４ｄからボルト２０ａ、２０ａ、２０ｂ、２０ｂを外し、第２の取付部１２ｃ、１２ｄを側壁１６ｂ、１６ｃから外すことによって、ホーンアンテナ本体２を仰角調整具１６から外し、ホーンアンテナ本体２の中心軸の回りに９０度回転させて、図６に示すように、ホーンアンテナ本体２の第１の取付部１２ａ、１２ｂのねじ孔１４ａ、１４ａ、１４ｂ、１４ｂを仰角調整具１６の側壁１６ｂ、１６ｃの貫通孔１８ａ、１８ａ、１８ｂ、１８ｂに一致させて、これら貫通孔１８ａ、１８ａ、１８ｂ、１８ｃに挿通したボルト２０ａ、２０ａ、２０ｂ、２０ｂをねじ孔１４ａ、１４ａ、１４ｂ、１４ｂに螺合させることによって、ホーンアンテナ本体２を仰角調整具１６に取り付ける。この状態では、２台のホーンアンテナ装置は、互いの間で例えば垂直偏波を送受信することができる。
【００２５】
このように偏波面を変更したことにより、反射波等の影響を受けなくなり、良好にミリ波の送受信を行えることがある。この偏波面の変更が、このホーンアンテナ装置では、容易に行うことができる。即ち、このホーンアンテナ装置では、ホーンアンテナ本体２の短辺側の壁２ａ、２ｂに第１の取付部１２ａ、１２ｂを設け、長辺側の壁２ｃ、２ｄに第２の取付部１２ｃ、１２ｄを、第１の取付部１２ａ、１２ｂとホーンアンテナ本体２の中心軸の回りに９０度回転した状態で設け、しかも第１及び第２の取付部１２ａ、１２ｂ、１２ｃ、１２ｄでは、同一の位置にねじ孔１４ａ、１４ｂ、１４ｃ、１４ｄが設けられているので、仰角調整具１６の側壁１６ｂ、１６ｃにおける貫通孔１８ａ、１８ａ、１８ｂ、１８ｂの形成位置に、第１の取付部１２ａ、１２ｂまたは第２の取付部１２ｃ、１２ｄを取り付けることができる。また、第１及び第２の取付部１２ａ、１２ｂ、１２ｃ、１２ｄの長尺の突出面が側壁１６ｂ、１６ｃの内面に接触しているので接触抵抗が大きくなり、強固にホーンアンテナ本体２を仰角調整具に取り付けることができる。また、第１及び第２の取付部１２ａ、１２ｂ、１２ｃ、１２ｄは、ホーンアンテナ本体２の中心軸と平行に設けられているので、ねじ孔１４ａ、１４ａ、１４ｂ、１４ｂまたは１４ｃ、１４ｃ、１４ｄ、１４ｄに螺合しているボルト２０ａ、２０ｂ、２０ｃ、２０ｄが発生する力は、中心軸に直行するので、中心軸線回りの回転モーメントを発生しない。
【００２６】
第２の実施形態のホーンアンテナ装置は、図７に示すように、第１及び第２の取付部１１２ａ、１１２ｂ、１１２ｃ、１１２ｄの構成が第１の実施形態の取付部１２ａ、１２ｂ、１２ｃ、１２ｄと異なる以外、第１の実施形態と同様に構成されている。同等部分には同一符号を付して、その説明を省略する。第１及び第２の取付部１１２ａ、１１２ｂ、１１２ｃ、１１２ｄは、図７に第１の取付部１１２ａ、第２の取付部１１２ｃを代表として示すように、アンテナ本体２の中心軸に対してそれぞれ同一角度だけ傾斜するように配置されている。また、その両端部は、中心軸の両側に位置するように構成されている。他の点は、第１及び第２の取付部１２ａ、１２ｂ、１２ｃ、１２ｄと同一に構成されている。
【００２７】
第３の実施形態のホーンアンテナ装置も、図８に示すように、第１及び第２の取付部２１２ａ、２１２ｂ、２１２ｃ、２１２ｄの構成が第１の実施形態の取付部１２ａ、１２ｂ、１２ｃ、１２ｄと異なる以外、第１の実施形態と同様に構成されている。同等部分には同一符号を付して、その説明を省略する。第１及び第２の取付部２１２ａ、２１２ｂ、２１２ｃ、２１２ｄは、図８に第１の取付部２１２ａ、第２の取付部２１２ｃを代表として示すように、それぞれが突出部２１２ａ−１、２１２ａ−２、２１２ｂ−１、２１２ｂ−２、２１２ｃ−１、２１２ｃ−２、２１２ｄ−１、２１２ｄ−２からなる。これらは、第１の実施形態の第１及び第２の取付部１２ａ、１２ｂ、１２ｃ、１２ｄの取り付け用のねじ孔１４ｃ、１４ｃ、１４ｄ、１４ｄの周囲部分のみを、例えば筒状、具体的には円筒状に残したものである。このように構成すると、使用する材料が少なくなり、コストを低減することができる。
【００２８】
上記の実施形態では、ホーンアンテナ本体２は、四角錐型のものを使用したが、これに限ったものではなく、その外周面が円錐形のものを使用することもできる。この場合でも、第１の取付部１２ａ、１２ｂと第２の取付部１２ｃ、１２ｄとは、ホーンアンテナ本体２の中心軸の回りに９０度の角度をなすように配置される。また、仰角調整具１６及び方位角調整具２６とは、上記の実施形態に示したものに限らず、仰角及び方位角を調整することが可能であって、ホーンアンテナ本体の第１及び第２の取付部のいずれによっても、ホーンアンテナ本体が取り付けられるものであれば、公知の種々の構成のものを使用することができる。また、第２の実施形態の第１及び第２の取付部１１２ａ、１１２ｂ、１１２ｃ、１１２ｄを、第３の実施形態の第１及び第２の取付部２１２ａ、２１２ｂ、２１２ｃ、２１２ｄと同様に、突出部のみによって構成することもできる。
【符号の説明】
【００２９】
２  ホーンアンテナ本体
１２ａ、１２ｂ  第１の取付部
１２ｃ、１２ｄ  第２の取付部
１６  仰角調整具
２４  方位角調整具
【図１】
2011087184.tif 000003
【図２】
2011087184.tif 000004
【図３】
2011087184.tif 000005
【図４】
2011087184.tif 000006
【図５】
2011087184.tif 000007
【図６】
2011087184.tif 000008
【図７】
2011087184.tif 000009
【図８】
2011087184.tif 000010